(57)【要約】【課題】  記憶装置を備える無線通信装置において、小型化と配線接続の煩雑さの解消とを実現しつつ、故障時の利便性を向上する。【解決手段】  無線通信装置は、記憶装置と、記憶装置を収容するとともに、第１の嵌合部と、記憶装置に対するアクセスを提供するインターフェースである第１のコネクタと、を有する第１の筐体と、無線通信の送受信部と、無線ネットワークのアクセスポイントとしての機能を実現する無線制御部と、記憶装置に対するアクセスを行うアクセス制御部と、が実装された回路基板と、回路基板を収容するとともに、第１の嵌合部に着脱可能に嵌合する第２の嵌合部と、第１の嵌合部と第２の嵌合部が嵌合した状態で第１のコネクタと接続される第２のコネクタと、を有する第２の筐体と、を備える。【選択図】  図２
2012083975.tif 000002
【特許請求の範囲】
【請求項１】
無線通信装置であって、
記憶装置と、
前記記憶装置を収容するとともに、第１の嵌合部と、前記記憶装置に対するアクセスを提供するインターフェースである第１のコネクタと、を有する第１の筐体と、
無線通信によりデータの送受信を行う送受信部と、前記送受信部を制御して無線ネットワークのアクセスポイントとしての機能を実現する無線制御部と、前記記憶装置に対するアクセスを行うアクセス制御部と、を少なくとも構成する回路が実装された回路基板と、
前記回路基板を収容するとともに、前記第１の筐体の前記第１の嵌合部に着脱可能に嵌合する第２の嵌合部と、前記第１の嵌合部と前記第２の嵌合部が嵌合した状態で前記第１のコネクタと接続され、前記アクセス制御部を前記記憶装置に対してアクセス可能にする第２のコネクタと、を有する第２の筐体と、
を備える、無線通信装置。
【請求項２】
請求項１に記載の無線通信装置であって、
前記第１のコネクタおよび前記第２のコネクタは、前記第１の筐体に収容された前記記憶装置の動作のための電力を、前記第２の筐体側から前記第１の筐体側に供給する端子を含む、無線通信装置。
【請求項３】
請求項１または請求項２に記載の無線通信装置であって、
前記第２の筐体は、前記第２の筐体の一の外面より凹んだ凹部を有し、
前記第１の筐体の前記第１の嵌合部と前記第２の筐体の前記第２の嵌合部が嵌合した状態で、前記第１の筐体は、前記第２の筐体の前記一の外面より外側に突出しないように、前記第２の筐体の凹部に配置される、無線通信装置。
【請求項４】
請求項１または請求項２に記載の無線通信装置であって、
前記第１の筐体は、前記第１の筐体の前記第１の嵌合部と前記第２の筐体の前記第２の嵌合部が嵌合した状態で、前記第２の筐体を支持するスタンドである、無線通信装置。
【請求項５】
請求項１ないし請求項４のいずれかに記載の無線通信装置であって、
前記第２の筐体に収容された前記回路基板は、前記第１の筐体に収容された前記記憶装置との接続の有無に拘わらず、無線ネットワークのアクセスポイントとしての機能を実現可能である、無線通信装置。
【請求項６】
請求項１ないし請求項５のいずれかに記載の無線通信装置であって、
前記記憶装置はハードディスク装置である、無線通信装置。
【発明の詳細な説明】
【技術分野】
【０００１】
本発明は、無線通信装置に関し、特に無線ネットワークのアクセスポイントとして機能する無線通信装置に関するものである。
【背景技術】
【０００２】
無線通信によりＬＡＮ（Local Area Network）を構築可能なアクセスポイントとして機能する無線通信装置（例えば、無線ＬＡＮルータ装置）が知られている（例えば、特許文献１）。
【先行技術文献】
【特許文献】
【０００３】
【特許文献１】特開２０１０−２１６７９号公報
【特許文献２】特開２０００−１４８２８７号公報
【特許文献３】特開２００１−５５５８号公報
【０００４】
このような無線通信装置は、大容量の記憶装置（例えば、ハードディスク装置やＳＳＤ（Solid State Drive）とともに用いられると便利であり、例えば、無線ＬＡＮ子機としての機器（例えば、パーソナルコンピュータ）から無線でアクセス可能なストレージを提供することが可能となる。
【発明の概要】
【発明が解決しようとする課題】
【０００５】
ここで、省スペース化や配線接続の煩雑さの解消などの観点から、無線ＬＡＮのアクセスポイントとしての機能と記憶装置とを一体化した無線通信装置に対するニーズがある。
【０００６】
しかしながら、単純に無線ＬＡＮのアクセスポイントとしての機能を実現する回路が実装された基板（以下、無線ＬＡＮ基板と呼ぶ。）と、記憶装置とを１つの筐体に収容したのでは、故障時の利便性の観点から問題が生じるおそれがあった。具体的には、ハードディスクは可動部が多く、ＳＳＤは書き込み回数に限界があるため、無線ＬＡＮ基板より寿命が短い。このため、ハードディスクやＳＳＤなどの記憶装置の故障頻度が無線ＬＡＮ基板より高いと考えられる。ここで、無線ＬＡＮ基板と記憶装置とを１つの筐体に収容した無線通信装置では、記憶装置が故障し、無線ＬＡＮ基板は正常である場合であっても、利用者は、無線通信装置全体をサービスセンター等に引き渡して修理を依頼しなければならないおそれがあった。そうすると、無線ＬＡＮ基板は、正常であるにも拘わらず、無線通信装置によって構築したＬＡＮの利用を中断せざるを得なくなる。
【０００７】
本発明の主な利点は、記憶装置を備える無線通信装置において、省スペースのための小型化と配線接続の煩雑さの解消とを実現しつつ、故障時の利便性を向上できる技術を提供することである。
【課題を解決するための手段】
【０００８】
本発明は、上述の課題の少なくとも一部を解決するためになされたものであり、以下の形態又は適用例として実現することが可能である。
【０００９】
［適用例１］  無線通信装置であって、
記憶装置と、
前記記憶装置を収容するとともに、第１の嵌合部と、前記記憶装置に対するアクセスを提供するインターフェースである第１のコネクタと、を有する第１の筐体と、
無線通信によりデータの送受信を行う送受信部と、前記送受信部を制御して無線ネットワークのアクセスポイントとしての機能を実現する無線制御部と、前記記憶装置に対するアクセスを行うアクセス制御部と、を少なくとも構成する回路が実装された回路基板と、
前記回路基板を収容するとともに、前記第１の筐体の前記第１の嵌合部に着脱可能に嵌合する第２の嵌合部と、前記第１の嵌合部と前記第２の嵌合部が嵌合した状態で前記第１のコネクタと接続され、前記アクセス制御部を前記記憶装置に対してアクセス可能にする第２のコネクタと、を有する第２の筐体と、
を備える、無線通信装置。
【００１０】
上記構成によれば、記憶装置が収容された第１の筐体と、無線通信装置としての機能を構成する回路が実装された回路基板を収容する第２の筐体とを嵌合して一体にすることができるので、記憶装置を備える無線通信装置を全体として小型化することができる。また、第１の筐体と第２の筐体とを嵌合した状態で、第１の筐体の第１のコネクタと第２の筐体の第２のコネクタとが接続されるので、ケーブルなどで第１の筐体と第２の筐体とを接続する必要がなく、配線接続の煩雑さを解消できる。そして、第１の筐体と、第２の筐体とを着脱可能であるので、故障時の利便性を向上できる。具体的には、記憶装置が故障し、回路基板が正常である場合には、利用者は、第１の筐体だけを修理に出すだけで良いので便利である。
【００１１】
［適用例２］  適用例１に記載の無線通信装置であって、
前記第１のコネクタおよび前記第２のコネクタは、前記第１の筐体に収容された前記記憶装置の動作のための電力を、前記第２の筐体側から前記第１の筐体側に供給する端子をそれぞれ含む、無線通信装置。
【００１２】
上記構成によれば、記憶装置に電力を供給するために、独立した配線を設ける必要がなく、配線接続の煩雑さをより効果的に解消できる。
【００１３】
［適用例３］  適用例１または適用例２に記載の無線通信装置であって、
前記第２の筐体は、前記第２の筐体の一の外面より凹んだ凹部を有し、
前記第１の筐体の前記第１の嵌合部と前記第２の筐体の前記第２の嵌合部が嵌合した状態で、前記第１の筐体は、前記第２の筐体の前記一の外面より外側に突出しないように、前記第２の筐体の凹部に配置される、無線通信装置。
【００１４】
上記構成によれば、記憶装置が収容された第１の筐体は、前記第２の筐体の前記一の外面より外側に突出しないように、第２の筐体の凹部に配置されるので、第１の筐体と第２の筐体とが嵌合した状態の無線通信装置を全体として小型化することができる。
【００１５】
［適用例４］適用例１または適用例２に記載の無線通信装置であって、
前記第１の筐体は、前記第１の筐体の前記第１の嵌合部と前記第２の筐体の前記第２の嵌合部が嵌合した状態で、前記第２の筐体を支持するスタンドである、無線通信装置。
【００１６】
上記構成によれば、第２の筐体を支持するスタンドに記憶装置を収容するので、記憶装置を収容するためだけの筐体を用意する必要がなく、無線通信装置を全体として小型化することができる。また、スタンドに記憶装置を収容するので、記憶装置の重量でスタンドを安定化することができる。
【００１７】
［適用例５］適用例１ないし適用例４のいずれかに記載の無線通信装置であって、
前記第２の筐体に収容された前記回路基板は、前記第１の筐体に収容された前記記憶装置との接続の有無に拘わらず、無線ネットワークのアクセスポイントとしての機能を実現可能である、無線通信装置。
【００１８】
上記構成によれば、記憶装置が収容された第１の筐体と分離された状態でも、第２の筐体のみで無線ネットワークのアクセスポイントとしての機能を実現できるので、故障時の利便性をより向上することができる。具体的には、記憶装置が故障し、回路基板が正常である場合に、利用者が第１の筐体を修理に出している間も、利用者は、第２の筐体のみで、無線ネットワークのアクセスポイントとして利用することができる。
【００１９】
［適用例６］適用例１ないし適用例５のいずれかに記載の無線通信装置であって、
前記記憶装置はハードディスク装置である、無線通信装置。
【００２０】
上記構成によれば、ハードディスク装置と回路基板とをそれぞれ別の筐体に収容するので、回路基板が発した熱がハードディスク装置に伝わることを抑制できる。この結果、熱に弱いハードディスク装置を熱から保護しつつ、無線通信装置を全体として小型化することができる。
【図面の簡単な説明】
【００２１】
【図１】本発明の一実施例としての無線ＬＡＮルータ１００の概略構成を示すブロック図。
【図２】第１実施例の無線ＬＡＮルータの外観構成を示す斜視図。
【図３】第２実施例の無線ＬＡＮルータの外観構成を示す斜視図。
【発明を実施するための形態】
【００２２】
次に、この発明の実施の形態を実施例に基づいて図面を参照しながら説明する。
【００２３】
（１）第１実施例：
図１は、本発明の一実施例としての無線ＬＡＮルータ１００の概略構成を示すブロック図である。無線ＬＡＮルータ１００は、メイン筐体１０とサブ筐体２０との２つの筐体から構成されている。
【００２４】
メイン筐体１０には、メイン回路基板５００が収容されている。メイン回路基板５００には、イーサネット（登録商標）規格（ＩＥＥＥ８０２．３）に準拠したネットワークケーブルを接続可能な複数の第１のモジュラージャック１２０と、１つの第２のモジュラージャック１３０と、ＵＳＢ規格に準拠したＵＳＢ雌側コネクタ１６０が実装されている。第１のモジュラージャック１２０は、パーソナルコンピュータなどの電子機器を接続することで、ＬＡＮ（Local Area Network）を構築するためのインターフェースである。第２のモジュラージャック１３０は、インターネットサービスプロバイダに接続するための中継装置（モデム）に接続するためのインターフェースである。ＵＳＢ雌側コネクタ１６０は、ＵＳＢ規格に準拠したストレージデバイス（ハードディスク装置、ＳＳＤ（Solid State Drive）など）を接続するためのインターフェースである。
【００２５】
メイン回路基板５００には、無線送受信部５１０と、有線送受信部５２０と、ＵＳＢホスト制御部５３０と、メイン制御部５４０とを構成する回路、および、フラッシュメモリ５５０が実装されている。これらの回路は、内部バスを介して互いに通信可能である。
【００２６】
無線送受信部５１０は、アンテナ１１０を介して、ＩＥＥＥ８０２．１１に準拠した無線通信を行う回路である。有線送受信部５２０は、第１のモジュラージャック１２０および第２のモジュラージャック１３０を介して、イーサネット（登録商標）規格に準拠した有線通信を行う回路である。ＵＳＢホスト制御部５３０は、ＵＳＢ雌側コネクタ１６０を介して、ＵＳＢ規格に準拠した有線通信を行う回路である。
【００２７】
フラッシュメモリ５５０には、無線ＬＡＮ、有線ＬＡＮ、ルータ機能に関する設定情報であるネットワーク設定情報Ｄ１０と、ＮＡＳ（Network Attached Storage）に関する設定情報であるＮＡＳ設定情報Ｄ２０と、制御プログラムＤ３０が格納されている。
【００２８】
メイン制御部５４０は、ＣＰＵ（central processing unit）５４１と、内部メモリ５４２とを備えた周知のコンピュータである。メイン制御部５４０は、制御プログラムＤ３０を読み込んで実行することにより、中継制御部Ｍ１０と、ファイルアクセス部Ｍ２０と、ファイルシステムＭ３０としての機能を実現する。
【００２９】
中継制御部Ｍ１０は、無線送受信部５１０、有線送受信部５２０を介した外部機器とのデータの遣り取りを制御する。具体的には、中継制御部Ｍ１０は、複数の外部機器の間のデータの遣り取りを中継して、無線ＬＡＮルータ１００のルータとしての機能およびブリッジとしての機能を実現する。また、中継制御部Ｍ１０は、ファイルアクセス部Ｍ２０およびファイルシステムＭ３０と協働して、ＵＳＢ雌側コネクタ１６０に接続されたストレージデバイスへのアクセスを外部機器に提供するＮＡＳとしての機能を実現する。中継制御部Ｍ１０は、上述したルータ、ブリッジ、ＮＡＳの機能の一部として、無線送受信部５１０を制御して無線ＬＡＮのアクセスポイントとしての機能を実現する。
【００３０】
ファイルシステムＭ３０は、ＵＳＢ雌側コネクタ１６０に接続されたストレージデバイスの記憶領域を使用してファイルやディレクトリを構築する。ファイルアクセス部Ｍ２０は、ファイルシステムＭ３０を介して、ＵＳＢ雌側コネクタ１６０に接続されたストレージデバイスの記憶領域に対してファイル単位でのアクセス（読み出し／書き込み）を実行する。
【００３１】
サブ筐体２０には、サブ回路基板６００と、ハードディスク装置７００とが収容されている。サブ回路基板６００には、ＵＳＢ規格（例えば、ＵＳＢ１．１、ＵＳＢ２．０、ＵＳＢ３．０）に準拠したＵＳＢ雄側コネクタ２６０と、ＵＳＢデバイス制御部６１０を構成する回路が実装されている。ＵＳＢ雄側コネクタ２６０は、外部機器（具体的には、メイン筐体１０のメイン回路基板５００）にハードディスク装置７００に対するアクセスを提供するインターフェースである。ＵＳＢデバイス制御部６１０は、ＵＳＢ雄側コネクタ２６０に接続された外部機器からのハードディスク装置７００に対するアクセスを中継して、ＵＳＢ規格に準拠したストレージデバイスとしての機能を実現する。
【００３２】
メイン筐体１０のメイン回路基板５００には、フラッシュメモリ５５０が備えられ、当該フラッシュメモリ５５０にネットワーク設定情報Ｄ１０が格納されているので、メイン筐体１０は、サブ筐体２０が装着されていなくても、メイン筐体１０単体で、ルータ、および、ブリッジとして動作することができる。ただし、メイン筐体１０は、サブ筐体２０が装着されていないと、ＮＡＳとしての機能は実現することができない。
【００３３】
図２は、無線ＬＡＮルータ１００の外観構成を示す斜視図である。メイン筐体１０は、図２（Ａ）に示すように、上面１０ｅ、右側面１０ｂ、左側面１０ｆ、前面１０ａ、底面１０ｃ、背面１０ｄを有する略直方体の形状を有している。なお、メイン筐体１０の内部において、メイン回路基板５００は、メイン回路基板５００の平面方向が、メイン筐体１０の長手方向（図２：Ｙ軸およびＺ軸方向）となり、メイン回路基板５００の厚さ方向が、メイン筐体１０の短手方向（図２：Ｘ軸方向）となるように収容されている。メイン筐体１０の上面１０ｅには、アンテナ１１０が配置されている。メイン筐体１０の前面１０ａには、上述した第１のモジュラージャック１２０、第２のモジュラージャック１３０の開口がそれぞれ露出している。メイン筐体１０の背面１０ｄにはＡＣアダプタ１７０が接続され、当該ＡＣアダプタ１７０を介してメイン回路基板５００に電力が供給される。
【００３４】
メイン筐体１０の右側面１０ｂと底面１０ｃと前面１０ａとが交わる角部分は、これらの面より凹んだ凹部１４０が形成されている。凹部１４０は、上方面１０ｈと側方面１０ｇと後方面１０ｉとによって区画されている。凹部１４０の側方面１０ｇには、断面が台形の四角柱形状を有する凸状嵌合部１５０が配設されている。凸状嵌合部１５０は、上端が上方面１０ｈにまで延び、下端が側方面１０ｇの上下方向の中央部まで延びている。凹部１４０の上方面１０ｈには、上述したＵＳＢ雌側コネクタ１６０の開口が露出している。
【００３５】
サブ筐体２０は、図２（Ｂ）に示すように、上面２０ｅ、右側面２０ｂ、左側面２０ｆ、前面２０ａ、底面２０ｃ、背面２０ｄを有する略直方体の形状を有している。サブ筐体２０の内部において、ハードディスク装置７００は、ディスクの平面方向が、サブ筐体２０の長手方向（図２：Ｙ軸およびＺ軸方向）となり、ディスクの厚さ方向が、サブ筐体２０の短手方向（図２：Ｘ軸方向）となるように収容されている。サブ筐体２０の上面２０ｅには、上述したＵＳＢ雄側コネクタ２６０が突出している。サブ筐体２０の左側面２０ｆには、上述したメイン筐体１０の凸状嵌合部１５０と嵌合する形状を有する凹状嵌合部２５０が形成されている。
【００３６】
サブ筐体２０は、メイン筐体１０に着脱可能に装着される。具体的には、サブ筐体２０は、サブ筐体２０の凹状嵌合部２５０をメイン筐体１０の凸状嵌合部１５０に嵌合させるように、サブ筐体２０の下方（図２のＹ軸の負方向）側からサブ筐体２０の凹部１４０に装着される。サブ筐体２０がメイン筐体１０に装着された状態（凹状嵌合部２５０と凸状嵌合部１５０とが嵌合された状態）で、サブ筐体２０のＵＳＢ雄側コネクタ２６０がメイン筐体１０のＵＳＢ雄側コネクタ２６０に挿入されて装着される。この結果、サブ筐体２０がメイン筐体１０に装着されると、メイン筐体１０のメイン回路基板５００と、サブ筐体２０のサブ回路基板６００とが電気的に接続され、メイン回路基板５００のメイン制御部５４０のファイルアクセス部Ｍ２０は、サブ筐体２０のハードディスク装置７００に格納されたデータにアクセス（読み出し／書き込み）可能になる。なお、ハードディスク装置７００が動作するための電力は、ＵＳＢコネクタ（ＵＳＢ雌側コネクタ１６０およびＵＳＢ雄側コネクタ２６０）の給電端子を介して、メイン筐体１０側からサブ筐体２０側に供給される。
【００３７】
ここで、サブ筐体２０の上下方向（図２：Ｙ軸方向）の長さａは、メイン筐体１０の凹部１４０の上下方向の長さＡと略同一とされている。また、サブ筐体２０の左右方向（図２：Ｘ軸方向）の長さｂは、メイン筐体１０の凹部１４０の左右方向の長さＢと略同一とされている。また、サブ筐体２０の奥行き方向（図２：Ｚ軸方向）の長さｃは、メイン筐体１０の凹部１４０の奥行き方向の長さＣと略同一とされている。
【００３８】
この結果、サブ筐体２０がメイン筐体１０に装着されたとき、メイン筐体１０の右側面１０ｂと、サブ筐体２０の右側面２０ｂとが略同一平面上に位置する。すなわち、サブ筐体２０は、メイン筐体１０の右側面側に突出しない。同様に、サブ筐体２０がメイン筐体１０に装着されたとき、メイン筐体１０の前面１０ａと、サブ筐体２０の前面２０ａとが略同一平面上に位置する。すなわち、サブ筐体２０は、メイン筐体１０の前面側に突出しない。同様に、サブ筐体２０がメイン筐体１０に装着されたとき、メイン筐体１０の底面１０ｃと、サブ筐体２０の底面２０ｃとが略同一平面上に位置する。すなわち、サブ筐体２０は、メイン筐体１０の底面側に突出しない。この結果、サブ筐体２０をメイン筐体１０に装着しても、無線ＬＡＮルータ１００は全体として見栄えが良いと共に、全体としてコンパクトになる。
【００３９】
以上説明した無線ＬＡＮルータ１００によれば、ハードディスク装置７００が収容されたサブ筐体２０と、メイン回路基板５００を収容するメイン筐体１０とを嵌合して一体にすることができるので、ハードディスク装置７００を備える無線ＬＡＮルータ１００を全体として小型化することができる。また、メイン筐体１０とサブ筐体２０とを嵌合した状態で、ＵＳＢ雌側コネクタ１６０とＵＳＢ雄側コネクタ２６０とが接続されるので、ケーブルが必要がなく、配線接続の煩雑さを解消できる。
【００４０】
また、メイン筐体１０とサブ筐体２０とは、着脱可能であるので、故障時の利便性を向上できる。具体的には、ハードディスク装置７００が故障し、メイン回路基板５００が正常である場合には、利用者は、サブ筐体２０だけを修理に出すだけで良いので便利である。例えば、サブ筐体２０を取り外しても、メイン筐体１０単体で、無線ＬＡＮルータ、ブリッジとしての機能を実現できるので、サブ筐体２０を取り外して修理に出している間も、利用者は、既に構築ずみの無線ＬＡＮ、有線ＬＡＮ、外部（インターネット等）接続環境などの使用を継続することができる。
【００４１】
また、ハードディスク装置７００は、ＵＳＢコネクタを介してメイン筐体１０側から電力の供給を受けて動作するため、給電のための独立した配線をサブ筐体２０に接続する必要がなく、配線接続の煩雑さをより効果的に解消できる。
【００４２】
また、ハードディスク装置７００とメイン回路基板５００とがそれぞれ別の筐体（サブ筐体２０およびメイン筐体１０）に収容されているので、メイン回路基板５００が発した熱がハードディスク装置７００に伝わることを抑制できる。この結果、熱に弱いハードディスク装置７００の熱に起因する故障を抑制することができる。
【００４３】
（２）第２実施例：
図３は、第２実施例の無線ＬＡＮルータの外観構成を示す図である。第２実施例の無線ＬＡＮルータの電気的構成は、図１を参照して説明した第１実施例の無線ＬＡＮルータ１００の電気的構成と同一であるのでその説明を省略する。なお、図３において、図２と同一の構成要素については、図２と同一の符号を付し、その説明を省略する。
【００４４】
第２実施例の無線ＬＡＮルータは、第１実施例の無線ＬＡＮルータ１００と同様に、メイン筐体３０と、サブ筐体４０とを備えている。
【００４５】
第２実施例のメイン筐体３０は、図３（Ａ）に示すように、上面３０ｅ、右側面３０ｂ、左側面３０ｆ、前面３０ａ、底面３０ｃ、背面３０ｄを有する略直方体の形状を有している。なお、メイン筐体３０の内部において、メイン回路基板５００は、メイン回路基板５００の平面方向が、メイン筐体３０の長手方向（図３：Ｙ軸およびＺ軸方向）となり、メイン回路基板５００の厚さ方向が、メイン筐体３０の短手方向（図３：Ｘ軸方向）となるように収容されている。
【００４６】
メイン筐体３０の底面３０ｃと左側面３０ｆとが交差する部分には、断面が略正方形の四角柱形状を有する凹状嵌合部３５０が形成されている。メイン筐体３０の底面３０ｃには、ＵＳＢ雌側コネクタ１６０の開口が露出している。
【００４７】
サブ筐体４０は、図３（Ｂ）に示すように、上面４０ｅ、右側面４０ｂ、左側面４０ｆ、前面４０ａ、底面４０ｃ、背面４０ｄを有する略直方体の形状を有し、上面４０ｅの左右方向（図３：Ｘ軸方向）の略中央部には、奥行き方向（図３：Ｚ軸方向）に沿って一端から他端まで延びる溝状部４４０が形成されている。溝状部４４０は、左側方面４０ｇと底方面４０ｈと右側方面４０ｉによって区画されている。このサブ筐体４０の溝状部４４０に、メイン筐体３０の底面３０ｃ部分を嵌合させて用いられることによって、サブ筐体４０は、メイン筐体３０の転倒を抑制するように、メイン筐体３０を支持するスタンドとして機能する。サブ筐体４０の内部において、ハードディスク装置７００は、溝状部４４０の下方に収容されている。ハードディスク装置７００は、ディスクの平面方向が、サブ筐体４０の長手方向（図３：Ｘ軸およびＺ軸方向）となり、ディスクの厚さ方向が、サブ筐体４０の短手方向（図３：Ｙ軸方向）となるように収容されている。
【００４８】
サブ筐体４０の溝状部４４０には、溝状部４４０の左側方面４０ｇおよび底方面４０ｈから突出する断面が略正方形の四角柱形状を有する凸状嵌合部４５０が配設されている。凸状嵌合部４５０は、サブ筐体４０の溝状部４４０にメイン筐体３０の底面３０ｃ部分を嵌合させたときに、上述した凹状嵌合部３５０と嵌合する位置および寸法に形成されている。また、溝状部４４０の底方面４０ｈには、ＵＳＢ雄側コネクタ２６０が突出している。
【００４９】
サブ筐体４０の溝状部４４０に、メイン筐体３０の底面３０ｃ部分を嵌合させた状態で、サブ筐体４０のＵＳＢ雄側コネクタ２６０がメイン筐体３０のＵＳＢ雄側コネクタ２６０に挿入されて装着される。この結果、サブ筐体４０とメイン筐体３０とが嵌合されると、メイン筐体３０のメイン回路基板５００と、サブ筐体４０のサブ回路基板６００とが電気的に接続され、メイン回路基板５００のメイン制御部５４０のファイルアクセス部Ｍ２０は、サブ筐体４０に収容されたハードディスク装置７００に格納されたデータにアクセス（読み出し／書き込み）可能になる。
【００５０】
以上説明した第２実施例の無線ＬＡＮルータは、第１実施例の無線ＬＡＮルータ１００と同様の作用・効果を奏する。さらに、第２実施例の無線ＬＡＮルータは、第１実施例のように、メイン筐体１０に凹部１４０を設けてメイン筐体１０内部のメイン回路基板５００の比較的近い位置にハードディスク装置７００を配置した構成と異なり、メイン筐体１０の完全に外側にサブ筐体４０を設けてスタンドとして機能させているため、メイン回路基板５００とハードディスク装置７００との距離を長くとることができる。この結果、メイン回路基板５００の発した熱がハードディスク装置７００に伝わることを第１実施例より効果的に抑制することができる。
【００５１】
さらに、メイン筐体１０のスタンドにハードディスク装置７００を収容しているため、ハードディスク装置７００を収容するための筐体を設けることなく、ハードディスク装置７００をメイン筐体１０とは別筐体とすることができる。このため、無線ＬＡＮルータを全体として小型化できる。
【００５２】
さらに、比較的重量が重いハードディスク装置７００を収容したサブ筐体４０をスタンドとして機能させているため、スタンドとしての安定性が向上し、メイン筐体１０の転倒等を抑制することができる。
【００５３】
（３）変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００５４】
・第１変形例：
上記実施例では、メイン筐体１０、３０のメイン回路基板５００と、サブ筐体２０、４０のハードディスク装置７００とを電気的に接続するためのコネクタとしてＵＳＢコネクタを採用しているが、これに代えて、他の規格に準拠したコネクタを用いても良い。具体的には、ＳＡＴＡ（Serial Advanced Technology Attachment）、あるいは、ｅＳＡＴＡ（external Serial Advanced Technology Attachment）規格に準拠したコネクタを採用しても良い。ここで、給電用の端子を有さないコネクタを採用する場合には、当該コネクタと共に、メイン筐体１０、３０からサブ筐体２０、４０への給電専用のコネクタを採用しても良いし、サブ筐体２０、４０に、ＡＣアダプタを接続することにより、メイン筐体１０、３０とは独立して、電力を供給しても良い。
【００５５】
・第２変形例：
上記実施例では、サブ筐体２０、４０に収容される記憶装置としてハードディスク装置７００を採用しているが、これに限られず、比較的大容量の様々な記憶装置が採用され得る。例えば、ＳＳＤ（Solid State Drive）を採用しても良い。ＳＳＤは、書き込み回数が規定値を超えると故障する確率が高まる。上記実施例において、ハードディスク装置７００に代えてＳＳＤを用いる場合には、ＳＳＤの故障時の利便性を向上することができる。
【００５６】
・第３変形例：
上記実施例では、メイン回路基板５００は、無線ＬＡＮのルータ、ブリッジ機能、有線ＬＡＮのルータ、ブリッジ機能、外部記憶装置であるハードディスク装置７００へのアクセス機能を実現しているが、これらの全ての機能を実現する必要はなく、一部であっても良い。メイン回路基板５００は、少なくとも無線ＬＡＮのアクセスポイントとしての機能、および、外部記憶装置へのアクセス機能を実現することが好ましい。
【００５７】
・第４変形例：
上記実施例では、サブ筐体２０、４０に収容されるハードディスク装置７００は、ＮＡＳ用の記憶領域を提供するために用いられているが、ハードディスク装置７００の全部、または、一部の記憶領域は、他の用途に用いられても良い。例えば、ネットワーク設定情報Ｄ１０、制御プログラムＤ３０を格納するために用いられても良い。
【符号の説明】
【００５８】
１０、３０...メイン筐体
２０、４０...サブ筐体
１１０...アンテナ
１２０、１３０...モジュラージャック
１５０、４５０...凸状嵌合部
１６０...ＵＳＢ雌側コネクタ
１７０...ＡＣアダプタ
２５０、３５０...凹状嵌合部
２６０...ＵＳＢ雄側コネクタ
５００...メイン回路基板
６００...サブ回路基板
７００...ハードディスク装置
１００...無線ＬＡＮルータ
【図１】
2012083975.tif 000003
【図２】
2012083975.tif 000004
【図３】
2012083975.tif 000005